(57)【特許請求の範囲】
【請求項１】
建物の屋根の縁部に沿って取り付けられる化粧部材であって、
前記縁部の延伸方向に間隔を置いて取り付けられるブラケットと、
前記ブラケットに取り付けられる外殻を形成するカバー部と、
箱状体を載せるために前記ブラケット間に架け渡される受材と、
前記箱状体を収容する空間に連通可能となるように前記カバー部の上面に開口される点検口と、
前記点検口を着脱自在に塞ぐ蓋部とを備えたことを特徴とする化粧部材。
【請求項２】
前記カバー部によって覆われる空間に、前記箱状体に繋がる電線を収容するために前記延伸方向に延びる配線収容部が形成されることを特徴とする請求項１に記載の化粧部材。
【請求項３】
前記点検口と前記蓋部との境界に沿った前記カバー部の内面側に、止水シートが配置されることを特徴とする請求項１又は２に記載の化粧部材。
【発明の詳細な説明】
【技術分野】
【０００１】
本発明は、建物の屋根の縁部に沿って取り付けられる化粧部材に関するものである。
【背景技術】
【０００２】
軒裏や外壁に沿って配線や配管を行うに際して、電線等の露出を無くして建物の美観が保たれるようにするために、化粧部材の内側に配線等がなされた構造が知られている（特許文献１−３など参照）。
【０００３】
例えば特許文献１には、電灯幹線を軒天井の上方空間に配線するとともに、電灯幹線の分岐部の接続に使用されるアウトレットボックスを軒天井に嵌め込んだ構造が開示されている。
【０００４】
このアウトレットボックスは、下面が蓋体となっており、軒天井に大工職人が点検口を別途設けなくても、軒下から容易に分岐部の保守、点検が行えるようになっている。
【０００５】
また、特許文献２には、上階と下階との接合部を覆うように取り付けられる化粧胴差しの内空に、電気幹線が収容される収容部を設けた構造が開示されている。
【０００６】
さらに、特許文献３には、建物外壁の出隅部分に化粧カバーが取り付けられることによって、配管又は配線を行うための配設スペースが形成される建物の外壁構造が開示されている。
【０００７】
一方、特許文献４，５には、屋根上面における配線構造が開示されている。例えば特許文献４には、切妻屋根や寄棟屋根に設けられる棟包みを利用した配線構造が開示されている。また、特許文献５には、太陽電池モジュールの取付架台を利用した配線構造が開示されている。
【先行技術文献】
【特許文献】
【０００８】
【特許文献１】特開平３−２９３９１７号公報
【特許文献２】特開平７−３１７２９１号公報
【特許文献３】特開２０１４−８４６２９号公報
【特許文献４】特開平１１−８１５４２号公報
【特許文献５】特開２０００−１１４５７７号公報
【発明の概要】
【発明が解決しようとする課題】
【０００９】
しかしながら、特許文献１に開示されているように下側に点検口を設ける構造は、軒天井のような充分な張り出しが必要となる。また、結線作業が上向きの作業となるため、作業者の負担が大きい。
【００１０】
一方、特許文献２，３に開示されたような化粧部材の幅の狭い内空を利用する場合は、配線や配管は行えるが、ジョイントボックスのような幅のある部材を配置することができない。
【００１１】
また、特許文献４の配線構造は、棟包みがある屋根では利用できるが、棟包みがない陸屋根には適用できない。さらに、特許文献５には、屋根上面における配線構造は開示されているが、屋根の縁部に沿った配線についての記述はない。
【００１２】
そこで、本発明は、ジョイントボックスなどの箱状体の配置が可能となるうえに、作業性に優れた点検口を備えた化粧部材を提供することを目的としている。
【課題を解決するための手段】
【００１３】
前記目的を達成するために、本発明の化粧部材は、建物の屋根の縁部に沿って取り付けられる化粧部材であって、前記縁部の延伸方向に間隔を置いて取り付けられるブラケットと、前記ブラケットに取り付けられる外殻を形成するカバー部と、箱状体を載せるために前記ブラケット間に架け渡される受材と、前記箱状体を収容する空間に連通可能となるように前記カバー部の上面に開口される点検口と、前記点検口を着脱自在に塞ぐ蓋部とを備えたことを特徴とする。
【００１４】
ここで、前記カバー部によって覆われる空間に、前記箱状体に繋がる電線を収容するために前記延伸方向に延びる配線収容部が形成される構成とすることが好ましい。
【００１５】
また、前記点検口と前記蓋部との境界に沿った前記カバー部の内面側に、止水シートが配置される構成とすることができる。
【発明の効果】
【００１６】
このように構成された本発明の化粧部材は、カバー部を取り付けるためのブラケット間に、ジョイントボックスなどの箱状体を載せるための受材が架け渡される。また、箱状体を収容する空間に連通可能となるように、カバー部の上面には点検口が開口され、その点検口は着脱自在の蓋部によって塞がれる。
【００１７】
このようにブラケット間に受材を架け渡すだけで、カバー部の内側に幅のある箱状体を配置することができる。また、点検口がカバー部の上面に設けられるので、結線作業などが上向き作業とならずに作業性に優れている。
【００１８】
また、カバー部によって覆われる空間に、箱状体に繋がる電線を収容するための配線収容部が形成されていれば、電線の露出を無くして建物の美観を保持したままで配線を行うことができるようになる。
【００１９】
さらに、点検口と蓋部との境界に沿ったカバー部の内面側に止水シートが配置されていれば、着脱自在の蓋部の周縁からの雨水などの水の浸入を防ぐことができる。
【図面の簡単な説明】
【００２０】
【図１】本実施の形態のパラペット部が取り付けられた屋根の縁部の構成を示した断面図である。
【図２】ユニット建物及び屋根の概略構成を説明するための平面図である。
【図３】図２のＢ−Ｂ矢視方向で見た屋根の縁部の断面図である。
【図４】パラペット部の点検口周辺の構成を示した斜視図である。
【発明を実施するための形態】
【００２１】
以下、本発明の実施の形態について図面を参照して説明する。図１は、本実施の形態の屋根２の妻側の縁部２１周辺の構成を説明するための断面図である。一方、図２は、その屋根２が設けられる建物としてのユニット建物１の概略構成を示した平面図である。ここで、図１は、図２のＡ−Ａ矢視方向で縁部２１周辺を見た断面図である。
【００２２】
このユニット建物１は、図２に示すように、複数の建物ユニット１１，１１Ａ，・・・を隣接させて構築される住宅などの建物である。なお、建物ユニット１１と建物ユニット１１Ａは、平面形状（大きさ）が異なるだけで、同様の構成となっている。
【００２３】
建物ユニット１１（１１Ａ）は、隅角部に配置される４本の柱材と、柱材の上端間及び下端間をそれぞれ繋ぐ梁材とによって直方体状に形成される。柱材と梁材とが溶接によって剛接合された場合、建物ユニット１１（１１Ａ）の主構造は鉄骨ラーメン構造となる。
【００２４】
そして、設置されたすべての建物ユニット１１，１１Ａ，・・・の上面が覆われるように、陸屋根となる屋根２が構築される。この屋根２には緩やかな排水勾配が形成されており、水上側が縁部２２Ａとなり、水下側が縁部２２Ｂとなる。図３は、図２のＢ−Ｂ矢視方向で水上側の縁部２２Ａ周辺を見た断面図である。
【００２５】
本実施の形態で説明する屋根２は、図１，３に示すように屋根梁２１１，２２１の上に構築される。断面視コ字形の屋根梁２１１，２２１の上には、屋根フレーム２３が載せられる。
【００２６】
また、屋根フレーム間２３，２３は、野地板２４によって塞がれ、野地板２４の上面には、防水性能及び耐食性能に優れた溶融アルミニウムめっき鋼板などによって形成された屋根ふき材が敷設される。
【００２７】
さらにこの屋根２には、太陽電池モジュール２６が設置される。太陽電池モジュール２６の両側縁には、図１に示すように、屋根フレーム２３に固定させるための受け金具２６１が取り付けられている。
【００２８】
そして、この屋根２の縁部２１，２２Ａ，２２Ｂに沿って、化粧部材としてのパラペット部３が取り付けられる。パラペット部３は、図１，３に示すように、カバー部としての上カバー３１及び下カバー３２と、ブラケット部としての上ブラケット３３、中ブラケット３４及び下ブラケット３５とによって主に構成される。
【００２９】
上カバー３１は、屋根フレーム２３の側面周辺から屋根梁２１１（２２１）の上部にかけた範囲を覆う外殻を形成する部材である。また、下カバー３２は、屋根梁２１１（２２１）の下部を覆う外殻を形成する部材である。
【００３０】
上カバー３１及び下カバー３２は、縁部２１（２２Ａ，２２Ｂ）の延伸方向が長手方向となる長尺部材である。アルミ板や鋼板などを折り曲げ加工することによって、製作することができる。
【００３１】
そして、外壁１２の上端より上方に現れる屋根２の縁部２１（２２Ａ，２２Ｂ）は、上カバー３１と下カバー３２とによってすべて覆い隠される。また、上カバー３１と屋根２の上面との境界には、上部水切り材２５が取り付けられる。
【００３２】
これらの上カバー３１及び下カバー３２は、上ブラケット３３、中ブラケット３４及び下ブラケット３５によって、縁部２１（２２Ａ，２２Ｂ）に取り付けられる。
【００３３】
上ブラケット３３、中ブラケット３４及び下ブラケット３５は、縁部２１（２２Ａ，２２Ｂ）の延伸方向に間隔を置いて取り付けられる。詳細には、上ブラケット３３は、屋根フレーム２３又は屋根フレーム２３，２３間を繋ぐ部材にドリルネジ３７によって固定される。
【００３４】
この上ブラケット３３は、側面視台形状に成形されている。この上ブラケット３３の下面に、図１に示すように中ブラケット３４の上面を接触させて、ビス３６Ｂや爪の嵌合によって双方を連結させる。
【００３５】
中ブラケット３４は、下部が外側に向けて開放された形状に成形されており、その開放部分に沿って断面視Ｌ字状の下部水切り材２７が配置される。この下部水切り材２７は、ビス３６Ｂによって中ブラケット３４に固定される。
【００３６】
そして、中ブラケット３４の開放部分を塞ぐように、下ブラケット３５が取り付けられる。中ブラケット３４と下ブラケット３５との連結にも、ビス３６Ｂや爪の嵌合が使用される。
【００３７】
一方、中ブラケット３４の内側面と屋根梁２１１（２２１）との間は、後述する電線６１の太さよりも広い間隔で離隔させる。この中ブラケット３４の内側面と屋根梁２１１（２２１）との間隙が、縁部２１（２２Ａ，２２Ｂ）の延伸方向に延びる配線収容部３ｂとなる。
【００３８】
そして、配線収容部３ｂの下方では、中ブラケット３４の下端と屋根梁２１１（２２１）との間を、下縁水切り材２８によって塞ぐ。この下縁水切り材２８は、ビス３６Ｂによって中ブラケット３４の下端に固定される。
【００３９】
図３に示すように、上カバー３１は、上ブラケット３３に外側から被せられて、ビス３６Ａによって固定される。また、下カバー３２は、下ブラケット３５に外側から被せられて、上カバー３１の下縁に下カバー３２の上縁を重ねた箇所でビス３６Ａによって固定される。
【００４０】
このようにして上ブラケット３３に取り付けられる上カバー３１の内側には、図１に示すように、箱状体としてのジョイントボックス６を収容する空間として収容部３ａが形成される。
【００４１】
このジョイントボックス６は、太陽電池モジュール２６の電気幹線となる電線６１の接続（結線）に利用される。太陽電池モジュール２６によって発電された電力は、電線６１を通ってユニット建物１の分電盤等に送電される。
【００４２】
このジョイントボックス６は、上ブラケット３３，３３間に架け渡された断面視略Ｌ字形の受材３８の上に載せられる。この受材３８によって、収容部３ａの幅（縁部２１からの張り出し量）よりも少し狭い一辺と、一対の上ブラケット３３，３３間の間隔以上の長さの一辺とを有する略長方形の支持面が形成される。
【００４３】
すなわちこの受材３８によって、縁部２１の延伸方向に延びる幅のある支持面が形成され、その支持面上に比較的幅のあるジョイントボックス６が設置されることになる。
【００４４】
そして、このジョイントボックス６の上方の上カバー３１の上面が、図４に示すように平面視略長方形に切り取られて点検口４として開口される。この点検口４は、着脱自在の蓋部５によって塞がれる。
【００４５】
この点検口４の下側の周縁には、図１に示すように、受口片４３がリベット４４によって取り付けられる。一方、蓋部５の下縁５ｂには、リベット５２によって止水シート５１が取り付けられる。
【００４６】
この止水シート５１は、下縁５ｂよりも下方に突出しており、受口片４３と上カバー３１の外殻との間に、止水シート５１の下縁が挿し込まれる。この止水シート５１には、例えば合成ゴム製のシート材が使用できる。
【００４７】
一方、点検口４の上側の周縁にも、合成ゴムシートなどの止水シート４１がリベット４４によって取り付けられる。蓋部５の上縁５ａは、点検口４側に張り出された止水シート４１の上に重ねられて、ビス３６Ａによって双方が接合される。
【００４８】
また、図４に示すように、点検口４の左右両側の周縁にも、合成ゴムシートなどの止水シート４２がリベット４４によって取り付けられる。蓋部５の側縁５ｃは、点検口４側に張り出された止水シート４２の上に重ねられる。
【００４９】
この蓋部５は、ビス３６Ａ，３６Ａを緩めることによって、点検口４から取り外すことができる。
【００５０】
また、蓋部５を点検口４に装着するときには、止水シート５１を受口片４３に挿し込むとともに、上縁５ａ及び側縁５ｃ，５ｃを止水シート４１，４２，４２の上に載せ、ビス３６Ａ，３６Ａを締め付けることによって固定する。
【００５１】
次に、本実施の形態のパラペット部３を利用した太陽電池モジュール２６の配線方法、及びパラペット部３の作用について説明する。
【００５２】
屋根２の上に並べられた太陽電池モジュール２６，・・・と、それによって発電された電力を送電するための電気幹線となる電線６１との接続は、屋根２の水上側の縁部２２Ａにおいて行われる。
【００５３】
そして、一端が太陽電池モジュール２６に接続された電線６１は、図３に示すように、中ブラケット３４と屋根梁２２１の側面との間の配線収容部３ｂまで下ろされる。
【００５４】
この電線６１は、配線収容部３ｂ内を縁部２２Ａに沿ってユニット建物１の隅角部に向けて配線される。さらに、隅角部を通って妻側の縁部２１にまわった電線６１は、図１に示すように、ジョイントボックス６の高さまで持ち上げられて、ジョイントボックス６内で他の電線等と接続（結線）される。
【００５５】
このジョイントボックス６内での結線は、蓋部５を取り外すことによって上方に開いた点検口４から行うことができる。また、配線後に保守点検を行う場合にも、点検口４から行うことができる。
【００５６】
すなわち、このように構成された本実施の形態のパラペット部３は、カバー部（３１，３２）を取り付けるための上ブラケット３３，３３間に、ジョイントボックス６を載せるための受材３８が架け渡される。
【００５７】
また、ジョイントボックス６を収容する空間となる収容部３ａに連通可能となるように、上カバー３１の上面には点検口４が開口され、その点検口４は着脱自在の蓋部５によって塞がれる。
【００５８】
このように上ブラケット３３，３３間に受材３８を架け渡すだけで、上カバー３１の内側に容易に幅のあるジョイントボックス６が配置できるようになる。また、点検口４が上カバー３１の上面に設けられるので、結線作業が上向き作業とならずに作業性に優れている。
【００５９】
さらに、カバー部（３１，３２）によって覆われる空間に、ジョイントボックス６に向けて配線される電線６１を収容するための配線収容部３ｂが形成されていれば、電線６１の露出を無くして建物の美観を損なわないようにすることができる。
【００６０】
さらに、点検口４と蓋部５との境界に沿った上カバー３１の内面側に止水シート４１，４２，５１が配置されていれば、着脱自在の蓋部５の周縁からの雨水などの水の浸入を防ぐことができる。
【００６１】
また、パラペット部３の内側にジョイントボックス６や電線６１を収容させる構成であれば、既築のユニット建物１の屋根２に後から太陽電池モジュール２６，・・・を設置する場合にも、作業の支障となるカバー部（３１，３２）を外すだけで容易に配線等を行うことができる。
【００６２】
さらに、ユニット建物１を増築した場合でも、パラペット部３を必要に応じて追加したり、改修したりするだけで、容易に対応させることができる。
【００６３】
以上、図面を参照して、本発明の実施の形態を詳述してきたが、具体的な構成は、この実施の形態に限らず、本発明の要旨を逸脱しない程度の設計的変更は、本発明に含まれる。
【００６４】
例えば、前記実施の形態では、上カバー３１と下カバー３２の２部材によって構成されるカバー部及び上ブラケット３３と中ブラケット３４と下ブラケット３５の３部材によって構成されるブラケットついて説明したが、これに限定されるものではなく、構成する部品数は任意に設定することができる。
【００６５】
また、前記実施の形態では、止水シート５１を蓋部５の下縁５ｂに取り付け、止水シート４１，４２を上カバー３１側に取り付けたが、これに限定されるものではなく、止水シートは、蓋部５又はカバー部のいずれの側に取り付けられていてもよい。
【００６６】
さらに、前記実施の形態では、箱状体としてジョイントボックス６を例に説明したが、これに限定されるものではない。例えば、アウトレットボックスや、太陽電池モジュール２６の故障を検出させる装置などが収容されたものが箱状体であってもよい。
【符号の説明】
【００６７】
１              ユニット建物（建物）
２              屋根
２１，２２Ａ，２２Ｂ  縁部
３              パラペット部（化粧部材）
３ａ            収容部
３ｂ            配線収容部
３１            上カバー（カバー部）
３２            下カバー（カバー部）
３３            上ブラケット（ブラケット）
３４            中ブラケット（ブラケット）
３５            下ブラケット（ブラケット）
３８            受材
４              点検口
４１，４２      止水シート
５              蓋部
５ａ            上縁（境界）
５ｂ            下縁（境界）
５ｃ            側縁（境界）
５１            止水シート
６              ジョイントボックス（箱状体）
６１            電線
【要約】
【課題】ジョイントボックスの配置が可能となるうえに、作業性に優れた点検口を備えた化粧部材を提供する。
【解決手段】建物の屋根２の縁部２１に沿って取り付けられるパラペット部３である。
そして、縁部の延伸方向に間隔を置いて取り付けられるブラケット（３３，３４，３５）と、ブラケットに取り付けられる外殻を形成するカバー部（３１，３２）と、ジョイントボックス６を載せるために上ブラケット３３，３３間に架け渡される受材３８と、ジョイントボックスを収容する収容部３ａに連通可能となるようにカバー部の上面に開口される点検口４と、点検口を着脱自在に塞ぐ蓋部５とを備えている。
【選択図】図１【図１】
0005680250.tif 000002
【図２】
0005680250.tif 000003
【図３】
0005680250.tif 000004
【図４】
0005680250.tif 000005